(57)【要約】      （修正有）【解決手段】嵌めチューブ１０と、ペンチューブ２０と、口紅組３と、伝動組４０とを含む多用途化粧ペンの構造において、前記ペンチューブは、前記嵌めチューブの内部に収容され、且つその内部に収容室２０１が設けてあり、前記口紅組は、前記ペンチューブの逆方向に向き、嵌めチューブの内部に収容され、中空な口紅台用ブッシュ３３が設けてあり、前記口紅台用ブッシュのペンチューブから遠ざかった箇所では第二ペンキャップの第二歯面と噛合う外歯部が設けてあり、前記伝動組は、前記ペンチューブと口紅組との内部に設けられ、外ねじチューブ４１が設けてあり、前記外ねじチューブは案内素子のねじ穴と螺合し、前記外ねじチューブが口紅台の貫通孔に挿通し収容されることを特徴とする多用途化粧ペン。【効果】化粧機能は二種類あり、且つ液体と固体との化粧品を同時に提供することもできる。【選択図】図２
0003115404.tif 000002
【実用新案登録請求の範囲】
【請求項１】
嵌めチューブと、ペンチューブと、口紅組と、伝動組とを含む多用途化粧ペンの構造において、
前記嵌めチューブは、中空であり、
前記ペンチューブは、中空であり、前記嵌めチューブの内部に収容され、且つその内部に収容室が設けてあり、
前記口紅組は、前記嵌めチューブ内のペンチューブ２０から遠ざかった方向に設けられ、中空な口紅台用ブッシュが設けてあり、前記口紅台用ブッシュのペンチューブから遠ざかった箇所では第二ペンキャップの第二歯面と噛合う外歯部が設けてあり、且つ前記口紅台用ブッシュには口紅回転ブッシュが設けてあり、前記口紅回転ブッシュは口紅台用ブッシュのペンチューブから遠ざかった一端に設けられ、なお、口紅回転ブッシュと口紅台用ブッシュとの間には口紅台が設けてあり、
前記伝動組は、前記ペンチューブと口紅組との内部に設けられ、外ねじチューブが設けてあり、前記外ねじチューブは案内素子のねじ穴と螺合し、前記外ねじチューブが口紅台の貫通孔に挿通し収容され、且つ定位素子が設けてあり、前記定位素子は外ねじチューブを軸方向に移動するように案内し、前記外ねじチューブの案内素子から遠ざかった一端にはピストンが設けてあることを特徴とする、
多用途化粧ペンの構造。
【請求項２】
前記ペンチューブの収容室の内壁には環状を呈する溝が設けてあり、前記口紅組の口紅台用ブッシュにはペンチューブの前記溝と結合し定位するための突出係りが設けてあることを特徴とする、請求項１に記載の多用途化粧ペンの構造。
【請求項３】
前記口紅組の口紅回転ブッシュの一端には、口紅台用ブッシュの凹面と結合し定位するための結合ブロックが設けてあることを特徴とする、請求項１に記載の多用途化粧ペンの構造。
【考案の詳細な説明】
【技術分野】
【０００１】
本考案は、多用途化粧ペンの構造に関するものである。
【背景技術】
【０００２】
従来の化粧ペンは、図７と図８に示すように、一つのペンチューブ７０が設けてあり、前記ペンチューブ７０には化粧液を収容する裏穴７１が設けてあり、前記ペンチューブ７０に設けた裏穴７１の中段と末端に接近する箇所では、多辺形断面を呈する収容段７２と溝７３とがそれぞれ設けてあり、前記ペンチューブ７０の溝７３から遠ざかった一端には化粧液を案内し流出するペンヘッド７４が固定し設けてあり、前記ペンヘッド７４の外周にはペンキャップ７５が被ってあり、且つ前記ペンキャップ７５の一端はペンチューブ７０をしっかりと被り、また、前記ペンチューブ７０の内部には軸方向に移動可能な作動ロッド７６が嵌めてあり、前記作動ロッド７６の外周面には螺旋７７が設けてあり、且つ前記収容段７２内で移動可能な作動ロッド７６には押上げプラグ７８が設けてあり、前記押上げプラグ７８は収容段７２の一端に押上げてペンチューブ７０を密封し、前記作動ロッド７６の他端には回転柄８０が設けてあり、前記回転柄８０の一端には中空の駆動チューブ８１が設けてあり、前記駆動チューブ８１は、ペンチューブ７０の内部に収容され、作動ロッド７６の螺旋７７を嵌め、その内部には作動ロッドの螺旋７７と噛合う内ねじ穴８２が設けてあり、ペンチューブ７０内の溝７３に応じて凸縁８３が設けてあり、前記凸縁８３により回転柄８０がペンチューブ７０に定位される。
【０００３】
使用する場合には、図８に示すように、ペンキャップ７５を取り外して、回転柄８０を回転することにより、駆動チューブ８１が作動ロッド７６を駆動し、作動ロッド７６の押上げプラグ７８がペンチューブ７０の収容段７２内に制限されるので、作動ロッド７６は収容段７２の軸方向に沿って移動し、ひいては押上げプラグ７８が化粧液を圧迫してペンヘッド７４の方向へ流出し、そうすると、使用者は化粧することができる。
【０００４】
出願者は、上記の一種類の化粧液だけを持つ化粧ペンを改良するために、日本実用新案出願第２００４-００７４０９号を提案し、あれは、一つの化粧ペンで二種類の化粧液を提供することができるが、固体の化粧品を提供することはできない。
【考案の開示】
【考案が解決しようとする課題】
【０００５】
しかしながら、これは次のような欠点があった。
（イ）従来の化粧ペンには化粧液はただ一種類または二種類あり、使用は極めて不便であり、多数の化粧ペンを用意すると使用コストも高くなる。
【０００６】
（ロ）従来の化粧ペンには化粧液はただ一種類または二種類あり、一般の化粧は多数の化粧ペンを用意することが必要なので、貯蔵空間は広く占められる。
【０００７】
（ハ）一つの化粧ペンで二種類の化粧液を提供することができるが、固体の化粧品を提供することはできない。
【課題を解決するための手段】
【０００８】
上記欠点を解決するためになされた本願の考案は、嵌めチューブと、ペンチューブと、口紅組と、伝動組とを含む多用途化粧ペンの構造において、前記嵌めチューブは、中空であり、前記ペンチューブは、中空であり、前記嵌めチューブの内部に収容され、且つその内部に収容室が設けてあり、前記口紅組は、前記嵌めチューブ内のペンチューブ２０から遠ざかった方向に設けられ、中空な口紅台用ブッシュが設けてあり、前記口紅台用ブッシュのペンチューブから遠ざかった箇所では第二ペンキャップの第二歯面と噛合う外歯部が設けてあり、且つ前記口紅台用ブッシュには口紅回転ブッシュが設けてあり、前記口紅回転ブッシュは口紅台用ブッシュのペンチューブから遠ざかった一端に設けられ、なお、口紅回転ブッシュと口紅台用ブッシュとの間には口紅台が設けてあり、前記伝動組は、前記ペンチューブと口紅組との内部に設けられ、外ねじチューブが設けてあり、前記外ねじチューブは案内素子のねじ穴と螺合し、前記外ねじチューブが口紅台の貫通孔に挿通し収容され、且つ定位素子が設けてあり、前記定位素子は外ねじチューブを軸方向に移動するように案内し、前記外ねじチューブの案内素子から遠ざかった一端にはピストンが設けてあることを特徴とする多用途化粧ペンの構造であることを要旨としている。
【０００９】
本願の考案では、前記ペンチューブの収容室の内壁には環状を呈する溝が設けてあり、前記口紅組の口紅台用ブッシュにはペンチューブの前記溝と結合し定位するための突出係りが設けてあることを特徴とする請求項１に記載の多用途化粧ペンの構造であることを要旨としている。
【００１０】
本願の考案では、前記口紅組の口紅回転ブッシュの一端には、口紅台用ブッシュの凹面と結合し定位するための結合ブロックが設けてあることを特徴とする請求項１に記載の多用途化粧ペンの構造であることを要旨としている。
【考案の効果】
【００１１】
本考案に係る多用途化粧ペンの構造によれば、化粧機能は二種類あり、且つ液体と固体との化粧品を同時に提供することもできる。
【考案を実施するための最良の形態】
【００１２】
以下、添付図面を参照して本考案の好適な実施の形態を詳細に説明する。
【００１３】
まず、図１乃至図３を参照する。本考案に係る多用途化粧ペンの構造は、嵌めチューブ１０と、ペンヘッド２２と、第一ペンキャップ２３と、口紅組３とを含む。
【００１４】
前記嵌めチューブ１０は、中空であり、内部の両端に、ペンヘッド２２を有するペンチューブ２０と、口紅組３とが設けてある。
【００１５】
前記ペンチューブは、ペンヘッド２２を有し、前記嵌めチューブ１０の内部に収容され、その内部に収容室２０１が設けてあり、前記収容室２０１のペンヘッド２２から遠ざかった方向には第一歯面２１と溝２０２とが順序に設けてある。
【００１６】
前記口紅組３は、前記ペンチューブ内のペンチューブ２０から遠ざかった方向に設けられ、口紅台用ブッシュ３０と、口紅回転ブッシュ３３と、口紅台３２と、第二ペンキャップ３４とを含む。
【００１７】
前記口紅台用ブッシュ３０は、中空であり、ペンチューブ２０にある溝２０２と結合し定位するための突出係り３０１が設けてあり、前記突出係り３０１から遠ざかった箇所では外歯部３１が設けてあり、その内周面に案内レール３０３と凹面３０２とが設けてある。
【００１８】
前記口紅回転ブッシュ３３は、一端には前記口紅台用ブッシュ３０の凹面３０２と結合し定位するための結合ブロック３３１が設けてある。
【００１９】
前記口紅台３２は、口紅回転ブッシュ３３と口紅台用ブッシュ３０との間に設けられ、外周面には口紅台用ブッシュ３０の案内レール３０３に当接する螺旋溝３２３が設けてあり、そうすると、口紅台３２が回転し移動しても脱落しなくなり、前記口紅台３２の内部には適当な深さを持つ貫通孔３２１が開設してあり、また、前記口紅台３２の口紅台用ブッシュ３０から遠ざかった一端には固体の化粧品を収容するための収容空間３２２が設けてある。
【００２０】
前記第二ペンキャップ３４は、内周面に第二歯面３４が設けてあり、前記第二歯面３４は口紅台用ブッシュ３０の外歯部３１と噛合う。
【００２１】
前記伝動組４０は、前記ペンチューブ２０の内部に設けられ、外ねじチューブ４１と、案内素子４２と、止め素子４２と、ピストン４５と、定位素子４４とを含む。
【００２２】
前記外ねじチューブ４１は、外ねじを有し、案内素子４２のねじ穴４２１と螺合し、且つ口紅台３２の貫通孔３２１に挿通し収容され、その外周面に軸方向に沿うレール４１１が設けてある。
【００２３】
前記案内素子４２は、それを貫通したねじ穴４２１が開設してあり、口紅台用ブッシュ３０の外歯部３１から遠ざかった一端に固定された。
【００２４】
前記止め素子４３は、環状を呈し、外ねじチューブ４１の外周面に嵌められ、且つ案内素子４２の貼り付き面に貼り付けられ、爪車部４３１が設けてある。
【００２５】
前記ピストン４５は、外ねじチューブの止め素子４３から遠ざかった一端に嵌めて固定された。
【００２６】
前記定位素子４４は、環状を呈し、外ねじチューブの外周面に嵌められ、止め素子４３とピストン４５との間に位置し、外周面に歯面が設けてあり、前記歯面がペンチューブ２０内の第一歯面２１と噛合い、止め素子４３に対応する面には内爪車溝４４０が凹設してあり、前記内爪車溝４４０の内壁面の周縁に爪車の歯が複数に設けてあり、前記爪車は爪車部４３１と噛合い、これにより、定位素子４４と止め素子４３とは片方向だけに回転できるようになり、且つ定位素子４４の内壁面には二つの案内ブロック４４１が対向に設けられ、前記案内ブロック４４１は外ねじチューブ４１のレール４１１内に摺動可能に設けられ、そうすると、外ねじチューブ４１がリニアに移動するようになる。
【００２７】
本考案の使用は、図３乃至図６に示すように、例えば化粧液を使用しようとする場合には、第二ペンキャップ３４を口紅台用ブッシュ３０に被り、第二ペンキャップ３４の第二歯面３４１が口紅台用ブッシュ３０の外歯部３１と噛合って定位され、また、第二ペンキャップ３４を回転し、第二ペンキャップ３４の第二歯面３４１が口紅台用ブッシュ３０を連動して伝動組４０の定位素子４４を連動し、前記定位素子４４の二つの案内ブロック４４１が外ねじチューブ４１を回転させ、且つ定位素子４４の内爪車溝４４０は止め素子４３の爪車部４３１に対して片方向に回転するようになり、案内素子４２のねじ穴４２１は外ねじチューブ４１と噛合ってロックされたので、外ねじチューブ４１は案内素子４２のねじ穴４２１に対して軸方向に沿って移動するようになり、ひいてはピストン４５がペンヘッド２２の方向に移動し、これにより、ペンチューブ２０内の化粧液が圧迫されるようになる。
【００２８】
また、固体の化粧品を使用しようとする場合には、第二ペンキャップ３４を取外した後、このとき、口紅回転ブッシュ３３の結合ブロック３３１が口紅台用ブッシュ３０の凹面３０２と互いに結合し、また、口紅台用ブッシュ３０の突出係り３０１がペンチューブ２０の溝２０２と係合するので、口紅回転ブッシュ３３を回転する際に、口紅回転ブッシュ３３と口紅台用ブッシュ３０とは、回転できるが、軸方向に移動できず、なお、口紅回転ブッシュ３３のレール３０３が口紅台３２の螺旋溝３２３を強行に超えることにより、口紅台３２が軸方向に移動できるようになり、そうすると、口紅台３２の収容空間３２２内に収容された化粧品が口紅回転ブッシュ３３の外側に伸び出すようになり、だから、本考案に係る化粧ペンは異なる形態の化粧品を持つ両端が自由に使用可能になる。
【図面の簡単な説明】
【００２９】
【図１】本考案の外観図である。
【図２】本考案の分解斜視図である。
【図３】本考案の組合状態を示す断面図である。
【図４】図３の一部の拡大図である。
【図５】本考案で化粧液を使用する動作を示す概略図である。
【図６】本考案で固体の化粧品を使用する動作を示す概略図である。
【図７】従来のものの分解斜視図である。
【図８】従来のものの組合状態を示す断面図である。
【符号の説明】
【００３０】
（本考案の部分）
１０      嵌めチューブ
２０      ペンチューブ              ２０１    収容室
２０２    溝
２１      第一歯面
２２      ペンヘッド                ２３      第一ペンキャップ
３        口紅組
３０      口紅台用ブッシュ          ３０１    突出係り
３０２    凹面                      ３０３    案内レール
３１      外歯部
３２      口紅台                    ３２１    貫通孔
３２２    収容空間                  ３２３    螺旋溝
３３      口紅回転ブッシュ          ３３１    結合ブロック
３４      第二ペンキャップ          ３４１    第二歯面
４０      伝動組
４１      外ねじチューブ            ４１１    レール
４２      案内素子                  ４２１    ねじ穴
４２２    貼り付き面
４３      止め素子                  ４３１    爪車部
４４      定位素子                  ４４０    内爪車溝
４４１    案内ブロック
４５      ピストン
（従来の部分）
７０      ペンチューブ              ７１      裏穴
７２      収容段                    ７３      溝
７４      ペンヘッド                ７５      ペンキャップ
７６      作動ロッド                ７７      螺旋
７８      押上げプラグ
８０      回転柄                    ８１      駆動チューブ
８２      内ねじ穴                  ８３      凸縁
【図１】
0003115404.tif 000003
【図２】
0003115404.tif 000004
【図３】
0003115404.tif 000005
【図４】
0003115404.tif 000006
【図５】
0003115404.tif 000007
【図６】
0003115404.tif 000008
【図７】
0003115404.tif 000009
【図８】
0003115404.tif 000010